(57)【要約】【課題】  化粧品などを整理して収容することができ、斬新なデザインとすることができるバッグの提供。【解決手段】  上方へ開口した四角形のボックス３と、ボックス３が載せ置かれて固定され、ボックス３から前後へ延出する帯状のカバー５と、ボックス３の左右両側壁７に設けられ、下辺１１ａがカバー５の左右両端辺に沿って配置される左右一対の側板１１とを備える。カバー５の前後両端部には、貫通穴２３，２５がそれぞれ形成されており、展開された状態のカバー５が側板１１の外周辺に沿って巻かれ、カバー５の前後両端部同士が重ね合わされることで取手として機能する。【選択図】      図４
0003139144.tif 000002
【実用新案登録請求の範囲】
【請求項１】
上方へ開口した四角形のボックスと、
このボックスが載せ置かれて固定され、前記ボックスから前後へ延出する帯状のカバーと、
前記ボックスの左右両側壁に設けられ、下辺が前記カバーの左右両端辺に沿って配置される左右一対の側板と、
前記カバーの前後両端部に設けられ、前記カバーが前記左右の両側板間の空間を覆うように前記左右の両側板の外周辺に沿って巻かれて、上部において重ね合わされる取手と
を備えることを特徴とするバッグ。
【請求項２】
ミラーを内側に収容して二つ折り可能で、前記カバーの内面に着脱可能なミラーケースを備え、
前記ミラーケースの長手方向一端部に、前記ミラーの一端部が固定されており、
前記ミラーケースの長手方向他端部に、前記ミラーの他端部が係止されて、前記ミラーを傾斜して保持可能とされた
ことを特徴とする請求項１に記載のバッグ。
【請求項３】
前記ミラーケースは、一片と他片とが折曲線で二つ折り可能に連接されて構成され、
前記一片には、前記折曲線と対向する端部の内面に、前記ミラーの一端部が揺動可能に保持され、
前記他片には、前記折曲線と対向する端部の内面に、前記ミラーの他端部の係止部が設けられ、
前記カバーの内面に、前記ミラーケースの他片の外面が着脱可能に固定される
ことを特徴とする請求項２に記載のバッグ。
【請求項４】
前記側板は、略三角形状とされ、その上部は、前記ボックスより上方へ延出して設けられる
ことを特徴とする請求項１から請求項３までのいずれか１項に記載のバッグ。
【考案の詳細な説明】
【技術分野】
【０００１】
本考案は、各種物品を収容して持ち運び可能とするバッグに関するものであり、特に、化粧品を収容するのに適したバッグに関するものである。
【背景技術】
【０００２】
従来、化粧品などを収納するバッグは、上部がファスナーで開閉可能な単なる袋状とされていた。
【考案の開示】
【考案が解決しようとする課題】
【０００３】
従来のバッグの場合、単に化粧品を詰め込んで収容するものであったので、バッグの中から必要なものを探しだすのに時間がかかっていた。また、単なる袋状であったため、形状において斬新さに欠けるものであった。さらに、ミラーを収容できないバッグも多く、別々に保管する必要があると共に、化粧をする際に一々道具を手元に揃える必要があり、面倒であった。また、ミラーを収容できても、一々ミラーをバッグから取り出して組み立てる必要があった。
【０００４】
本考案は、上記事情に鑑みてなされたものであり、その主たる目的は、化粧品などを整理して収容することができ、また斬新なデザインとすることができるバッグを提供することにある。
【課題を解決するための手段】
【０００５】
本考案は、前記課題を解決するためになされたものであり、請求項１に記載の考案は、上方へ開口した四角形のボックスと、このボックスが載せ置かれて固定され、前記ボックスから前後へ延出する帯状のカバーと、前記ボックスの左右両側壁に設けられ、下辺が前記カバーの左右両端辺に沿って配置される左右一対の側板と、前記カバーの前後両端部に設けられ、前記カバーが前記左右の両側板間の空間を覆うように前記左右の両側板の外周辺に沿って巻かれて、上部において重ね合わされる取手とを備えることを特徴とするバッグである。
【０００６】
請求項２に記載の考案は、ミラーを内側に収容して二つ折り可能で、前記カバーの内面に着脱可能なミラーケースを備え、前記ミラーケースの長手方向一端部に、前記ミラーの一端部が固定されており、前記ミラーケースの長手方向他端部に、前記ミラーの他端部が係止されて、前記ミラーを傾斜して保持可能とされたことを特徴とする請求項１に記載のバッグである。
【０００７】
請求項３に記載の考案は、前記ミラーケースは、一片と他片とが折曲線で二つ折り可能に連接されて構成され、前記一片には、前記折曲線と対向する端部の内面に、前記ミラーの一端部が揺動可能に保持され、前記他片には、前記折曲線と対向する端部の内面に、前記ミラーの他端部の係止部が設けられ、前記カバーの内面に、前記ミラーケースの他片の外面が着脱可能に固定されることを特徴とする請求項２に記載のバッグである。
【０００８】
さらに、請求項４に記載の考案は、前記側板は、略三角形状とされ、その上部は、前記ボックスより上方へ延出して設けられることを特徴とする請求項１から請求項３までのいずれか１項に記載のバッグである。
【考案の効果】
【０００９】
本考案のバッグによれば、化粧品などを整理して収納することができると共に、斬新なデザインとすることが可能である。
【考案を実施するための最良の形態】
【００１０】
以下、本考案のバッグについて、実施例に基づき更に詳細に説明する。
【００１１】
図１は、本考案のバッグの一実施例を示す斜視図であり、図２は、図１のバッグの概略縦断面図である。また、図３は、図１のバッグのカバーを展開した状態を示す分解斜視図であり、図４は、ミラーを立てた状態を示す斜視図であり、図５は使用状態を示す斜視図である。
【００１２】
本実施例のバッグ１は、上方へのみ開口する長方形状のボックス３と、このボックス３が載せ置かれる長方形の帯状カバー５と、ボックス３の左右両側壁７の外面に固定される一対の側板１１，１１とを主要部に備える。
【００１３】
ボックス３は、図示例のように、その内部を複数の空間に分割してもよい。本実施例では、前後方向に沿う仕切板１３により左右に空間が分割されており、さらに、その右側の空間は左右方向に沿う２枚の仕切板１５，１７により前後３つの空間に分割されている。
【００１４】
このボックス３には、適宜の小物入れが取り外し自由に収容可能とされている。
図３では、２個の小物入れ１９，２１がボックス内に収納されている。小物入れは、上方へのみ開口する長方形状の箱体とされ、一方の小物入れ１９の内部は、２枚の仕切板１９ａにより３つの空間に分割されている。これらの小物入れ１９，２１は、ボックス３の各空間に収容可能な大きさに形成されている。なお、これらの小物入れ１９，２１に代えて又はこれらに加えて、形状や大きさの異なる他の小物入れを使用できるのは言うまでもない。
【００１５】
カバー５は、前後方向に長い長方形の帯状とされ、ボックス３の左右方向の幅寸法よりも若干大きい幅寸法とされている。また、本実施例のカバー５は、内面にビニールコーティングした布、中央にポリエチレンシートなどの芯材、外面にポリウレタン樹脂などの合成皮革または布が配置され重ね合わされて一体化された３層構造とされている。
【００１６】
カバー５の前後両端部の幅方向中央部には、取手を構成する貫通穴２３，２５が形成されている。
また、カバー５の前後各端部には、板状の磁石または磁性体が内部に収納されて固定されている。本実施例では、カバー５の前端部の貫通穴２３の左右両側に磁石２７，２７がそれぞれ収容されており、カバー５の後端部の貫通穴２５の左右両側に金属板２９，２９がそれぞれ収容されている。
【００１７】
本実施例では、カバー５の前後方向中央部にボックス３が載せ置かれて固定されている。この際、ボックス３は、前後両端辺をカバー５の幅方向に沿って配置され、左右両端辺をカバー５の長手方向に沿って配置されて設けられている。
【００１８】
側板１１は、木製の略三角形状とされ、各頂点が円弧状に面取りされている。
側板１１は、ボックス３の左右両側壁７の外面にそれぞれ当接されて固定されており、各側板１１の下辺１１ａは、カバー５の左右各端辺に沿って近接して配置される。
つまり、上述したように、本実施例では、カバー５の左右寸法は、ボックス３の左右寸法より若干大きく、具体的には、二つの側板１１，１１を固定されたボックス３の左右寸法とほぼ同じ寸法とされる。なお、本実施例では、各側板１１は、ボックス３の左右両側壁７の外面に固定されるだけでなく、その下辺１１ａがカバー５の内面にも固定されている。
【００１９】
ボックス３に側板１１が取り付けられた状態では、側板１１は、ボックス３より上方へ延出しており、ボックス３の左右両側壁７は、側板１１からはみ出していない。
【００２０】
本実施例のバッグ１には、カバー５の内面に、ミラーケース３３が着脱可能に設けられる。本実施例では、図示例において、ボックス３の前側にミラーケース３３が着脱可能に取り付けられる。
【００２１】
ミラーケース３３は、左右方向に細長い長方形のシート状とされ、長手方向中央部で二つ折り可能とされる。つまり、本実施例のミラーケース３３は、折曲線３３ａで二つ折りされる一片３５と他片３７とが連接された構成とされる。
ミラーケース３３の他片３７には、その左右両端部の外面に面ファスナー３９，３９が固定されており、カバー５の内面にも左右に離隔して面ファスナー４１，４１が固定されている。
そして、ミラーケース３３は、折曲線３３ａが左側へ配置された状態で、他片３７がカバー５の内面に重ね合わされて、面ファスナー３９，４１同士が接触することでカバー５に着脱可能に取り付けられ、一片３５が折曲線３３ａまわりに揺動可能とされる。
【００２２】
ミラーケース３３の左右両端部の内面には、それぞれ面ファスナー４３，４５が取り付けられており、ミラーケース３３を二つ折りした際に面ファスナー４３，４５同士が当接して、ミラーケース３３の左右両端部同士が留められる。
【００２３】
ミラーケース３３に取り付けられるミラー４７は、ミラーケース３３の一片３５より若干小さい長方形状とされ、ミラー４７の左端部は、一片３５の左端部３５ａに面ファスナー４３より若干下側位置に固定されている。この際、ミラーケース３３の一片３５の左端部３５ａは、一片３５の他の部分に対して揺動可能とされ、ミラー４７も揺動可能とされる。
また、ミラーケース３３の他片３７の右端部３７ａは、一片３５が重ね合わされる側へ若干突出しており、その段付き部が係止部４９とされる。
【００２４】
図４および図５に示すように、ミラーケース３３を展開して、ミラー４７の右端部を、ミラーケース３３の係止部４９に引っ掛けることで、ミラー４７を傾斜した状態で保持することができる。
【００２５】
本実施例のバッグ１には、ボックス３の後側に二つの袋体５１，５１と、ペンなどが差し込まれる複数の筒部５３が設けられている。袋体５１は、長方形状のメッシュ状シートの３辺がカバー５に固定されて形成されている。本実施例では、メッシュ状シートの後辺５１ａ以外の３辺がカバー５の内面に固定されて、後辺５１ａが開口する袋体とされている。なお、本実施例では、前後に離間して二つの袋体５１，５１がカバー５に設けられている。
【００２６】
筒部５３は、細長い帯状の布５５で構成されている。この布５５は、カバー５の右端辺の近傍に、前後方向に沿って配置され、前後方向複数個所が左右方向に沿ってカバー５に固定されることで、左右方向に沿って複数の筒部５３が形成されている。
【００２７】
また、筒部５３の左側には、筒部５３と離隔した位置に、透明な矩形状の保護シート５７が設けられている。保護シート５７は、透明なビニール製とされ、その左端辺のみがカバー５の内面に固定されている。
この保護シート５７は、筒部５３に差し込まれた化粧品の化粧ブラシなどの先端部を覆うことで、汚れが他に付着しないようにする役割を果たす。
【００２８】
このような構成の本実施例のバッグ１は、カバー５が展開された図３の状態から、カバー５の前後両端部を、それぞれ各側板１１の外周辺に当接または近接するように巻き、さらに、上方へ延出させて、側板１１の頂点の上部で前後両端部の内面同士を重ね合わすことで、図１に示す袋体に構成される。この際、カバー５の左右両端部の磁石２７と金属板２９とが磁着してカバー５の両端部同士の接触状態が維持され、カバー５の左右両端部に形成された貫通穴２３，２５同士も重ね合わされて取手を構成し、この取手を持ってバッグ１を持ち運ぶことができる。なお、本実施例では、カバー５が折り曲げられる部分において、芯材が切り欠かれていることで、カバー５の屈曲を容易にしている。
【００２９】
本実施例のバッグは、化粧品をボックスや袋体に整理して収納することができると共に、カバーが平面状に展開することで、斬新な形状となる。
また、ミラーが着脱可能に設けられており、化粧をするのに必要な道具をまとめて収納することができることで、化粧道具をバラバラに収納しなくて済む。
さらに、本実施例では、カバーが平面状に展開することで、化粧品などの出し入れがし易く、ミラーをカバーに取り付けた状態のまま、ミラーケースを展開して使用することができる。
【００３０】
本考案のバッグは、上記実施例の構成に限らず、適宜変更可能である。
例えば、上記実施例では、ボックスの左右両側壁に三角形状の側板を設けたが、ボックスの左右両側壁と側板とを一体化した、つまりボックスの左右両側壁自体を三角形状としてもよい。また、上記実施例において、面ファスナーや磁石を使用した部分において、面ファスナー、ボタン、磁石などの各種の留め手段を適宜適用してもよい。
【図面の簡単な説明】
【００３１】
【図１】本考案のバッグの一実施例を示す斜視図である。
【図２】図１のバッグの概略縦断面図である。
【図３】図１のバッグのカバーを展開した状態を示す分解斜視図である。
【図４】図１のバッグのカバーを展開してミラーを立てた状態を示す斜視図である。
【図５】図１のバッグの使用状態を示す斜視図である。
【符号の説明】
【００３２】
１  バッグ
３  ボックス
５  カバー
１１  側板
２３，２５  貫通穴（取手）
３３  ミラーケース
４７  ミラー
４９  係止部
【図１】
0003139144.tif 000003
【図２】
0003139144.tif 000004
【図３】
0003139144.tif 000005
【図４】
0003139144.tif 000006
【図５】
0003139144.tif 000007